【事件の表示】
　特願２０００−１２３９２３「皮膚外用剤」拒絶査定不服審判事件〔平成１３年１０月３１日出願公開、特開２００１−３０２４３８〕について、次のとおり審決する。
【結　論】
　本件審判の請求は、成り立たない。
【理　由】
１．手続の経緯
　本願は，平成１２年４月２５日の出願であって，平成１５年２月１７日付で拒絶査定がなされ，これに対し，同年３月２０日に拒絶査定に対する審判請求がなされるとともに，同年４月１８日付で手続補正がなされたものである。
　
２．平成１５年４月１８日付の手続補正についての補正却下の決定
［補正却下の決定の結論］
　　平成１５年４月１８日付の手続補正を却下する。
　
［理由］
　　平成１５年４月１８日付の手続補正（以下，「本件補正」という。）は，
（ア）請求項１の記載「次の（Ａ）及び（Ｂ）を含有してなる皮膚外用剤：（Ａ）略，（Ｂ）略」，請求項２の記載「次の（Ｃ）及び（Ｄ）を含有してなる皮膚外用剤：（Ｃ）略，（Ｄ）略」，請求項３の記載「次の（Ｅ）及び（Ｆ）を含有してなる皮膚外用剤：（Ｅ）略，（Ｆ）略」，請求項４の記載「次の（Ｇ）及び（Ｈ）を含有してなる皮膚外用剤：（Ｇ）略，（Ｈ）略」を，択一形式の表現を採用することにより，補正後の請求項１の記載「特定の植物の抽出混合物と特定の植物群より選択した１種又は２種以上の抽出物を組み合わせて含有する皮膚外用剤であって，下記の（Ａ）と（Ｂ），（Ｃ）と（Ｄ），（Ｅ）と（Ｆ），および，（Ｇ）と（Ｈ）のうちのいずれか一の組合せからなる植物抽出物を含有する皮膚外用剤：（Ａ）〜（Ｈ）（略）」とし，
（イ）請求項５の記載「請求項１〜請求項４記載の皮膚外用剤より選択した１種又は２種以上を組み合わせて使用することを特徴とする，皮膚の手入れ方法。」を上記（ア）に伴い，補正後の請求項２の記載「請求項１に記載の皮膚外用剤より選択した２種以上を組み合わせて使用することを特徴とする皮膚の手入れ方法」と
するものである。
　上記（ア）の補正は，上述のとおり，補正前の請求項１〜４の記載を択一形式の採用により形式的に１つの請求項にまとめて記載するものであり，特許法第１７条第４項に第１号から第４号のいずれの事項を目的とするものにも該当しない。
　したがって，本件補正は，特許法第１７条の２第４項の規定に適合しないものであり，特許法１５９条第１項の規定により読み替えて準用する特許法第５３条第１項の規定により却下されるべきものである。
　
３．本願発明について
[１]　本願発明
平成１５年４月１８日付の手続補正は，上記の通り却下されたので，本願の請求項に係る発明は，出願当初の明細書の特許請求の範囲の請求項１〜５に記載された事項により特定される以下のとおりのものと認められる。
「【請求項１】次の（Ａ）及び（Ｂ）を含有して成る皮膚外用剤。
（Ａ）カミツレ（Matricaria chamomilla L.），ウイキョウ（Foeniculum vulgare Miller），ホップ（Humulus lupulus L.），セイヨウノコギリソウ（Achillea millefolium L.），メリッサ（Melissa officinalis L.）及びヤドリギ（Viscum coloratum Nakai var. lutescens Miyabe et Kudo又はViscum album L. var. lutescens Makino）の抽出混合物。
（Ｂ）トチノキ（Aesculus turbinata Blume），セイヨウトチノキ（Aesculus hippocastanum L.），ニンジン（Daucus carota L.），マンネンロウ（Rosmarinus officinalis L.），トウキンセンカ（Calendula officinalis L.），キンセンカ（Calendula arvensis L.），ヤグルマギク（Centaurea cyanus L.），スギナ（Equisetum arvense L.），ユーカリノキ属に属する植物（Eucalyptus spp.）アロエ属に属する植物（Aloe spp.），マルメロ（Cydonia oblonga Mill.），キュウリ（Cucumis sativus L.），フキタンポポ（Tussilago farfara L.），ビロウドアオイ（Althaea officinalis L.），オトギリソウ属に属する植物（Hypericum spp.），サルビア（Salvia officinalis L.）及びその変種（Salvia officinalis var. tenuior），ハマメリス（Hamamelis virginiana L.），マンサク（Hamamelis japonica Sieb. et Zucc.），タチジャコウソウ（Thymus vulgaris L.），トルメンティラ（Potentilla tormentilla），カンゾウ（Glycyrrhiza uralensis Fisher，Glycyrrhiza glabra L.及びその変種，Glycyrrhiza echinata L.，Glycyrrhiza glandulifera Reg. et Herd.），ユリ属に属する植物（Lilium spp.），パセリ（Petroselinum crispum (Mill.) Nym. Ex A.W.Hill.），シナノキ属に属する植物（Tilia spp.），カバノキ属に属する植物（Betula spp.），ブナ（Fagus crenata Blume），イヌブナ（Fagus japonica Maxim.），イチョウ（Ginkgo biloba L.），キズタ（Hedera tobleri Nakai），セイヨウキズタ（Hedera helix L.）及びローマカミツレ（Anthemis nobilis L.）より成る植物群から選択した１種又は２種以上の抽出物。
【請求項２】　次の（Ｃ）及び（Ｄ）を含有して成る皮膚外用剤。
（Ｃ）ウイキョウ（Foeniculum vulgare Miller），トチノキ（Aesculus turbinata Blume）及び／又はセイヨウトチノキ（Aesculus hippocastanum L.），ニンジン（Daucus carota L.）の抽出混合物。
（Ｄ）カミツレ（Matricaria chamomilla L.），ホップ（Humulus lupulus L.），セイヨウノコギリソウ（Achillea millefolium L.），メリッサ（Melissa officinalis L.），ヤドリギ（Viscum coloratum Nakai var. lutescens Miyabe et Kudo又はViscum album L. var. lutescens Makino），マンネンロウ（Rosmarinus officinalis L.），トウキンセンカ（Calendula officinalis L.），キンセンカ（Calendula arvensis L.），ヤグルマギク（Centaurea cyanus L.），スギナ（Equisetum arvense L.），ユーカリノキ属に属する植物（Eucalyptus spp.），アロエ属に属する植物（Aloe spp.），マルメロ（Cydonia oblonga Mill.），キュウリ（Cucumis sativus L.），フキタンポポ（Tussilago farfara L.），ビロウドアオイ（Althaea officinalis L.），オトギリソウ属に属する植物（Hypericum spp.），サルビア（Salvia officinalis L.）及びその変種（Salvia officinalis var. tenuior），ハマメリス（Hamamelis virginiana L.），マンサク（Hamamelis japonica Sieb. et Zucc.），タチジャコウソウ（Thymus vulgaris L.），トルメンティラ（Potentilla tormentilla），カンゾウ（Glycyrrhiza uralensis Fisher，Glycyrrhiza glabra L.及びその変種，Glycyrrhiza echinata L.，Glycyrrhiza glandulifera Reg. et Herd.），ユリ属に属する植物（Lilium spp.），パセリ（Petroselinum crispum (Mill.) Nym. Ex A.W.Hill.），シナノキ属に属する植物（Tilia spp.），カバノキ属に属する植物（Betula spp.），ブナ（Fagus crenata Blume），イヌブナ（Fagus japonica Maxim.），イチョウ（Ginkgo biloba L.），キズタ（Hedera tobleri Nakai），セイヨウキズタ（Hedera helix L.）及びローマカミツレ（Anthemis nobilis L.）より成る植物群から選択した１種又は２種以上の抽出物。
【請求項３】　次の（Ｅ）及び（Ｆ）を含有して成る皮膚外用剤。
（Ｅ）カミツレ（Matricaria chamomilla L.），セイヨウノコギリソウ（Achillea millefolium L.），オトギリソウ属に属する植物（Hypericum spp.）の１種又は２種以上，フキタンポポ（Tussilago farfara L.），ビロウドアオイ（Althaea officinalis L.），サルビア（Salvia officinalis L.）及び／又はその変種（Salvia officinalis var. tenuior）の抽出混合物。
（Ｆ）ウイキョウ（Foeniculum vulgare Miller），ホップ（Humulus lupulus L.），メリッサ（Melissa officinalis L.），ヤドリギ（Viscum coloratum Nakai var. lutescens Miyabe et Kudo又はViscum album L. var. lutescens Makino），トチノキ（Aesculus turbinata Blume），セイヨウトチノキ（Aesculus hippocastanum L.），ニンジン（Daucus carota L.），マンネンロウ（Rosmarinus officinalis L.），トウキンセンカ（Calendula officinalis L.），キンセンカ（Calendula arvensis L.），ヤグルマギク（Centaurea cyanus L.），スギナ（Equisetum arvense L.），ユーカリノキ属に属する植物（Eucalyptus spp.），アロエ属に属する植物（Aloe spp.），マルメロ（Cydonia oblonga Mill.），キュウリ（Cucumis sativus L.），ハマメリス（Hamamelis virginiana L.），マンサク（Hamamelis japonica Sieb. et Zucc.），タチジャコウソウ（Thymus vulgaris L.），トルメンティラ（Potentilla tormentilla），カンゾウ（Glycyrrhiza uralensis Fisher，Glycyrrhiza glabra L.及びその変種，Glycyrrhiza echinata L.，Glycyrrhiza glandulifera Reg. et Herd.），ユリ属に属する植物（Lilium spp.），パセリ（Petroselinum crispum (Mill.) Nym. Ex A.W.Hill.），シナノキ属に属する植物（Tilia spp.），カバノキ属に属する植物（Betula spp.），ブナ（Fagus crenata Blume），イヌブナ（Fagus japonica Maxim.）イチョウ（Ginkgo biloba L.），キズタ（Hedera tobleri Nakai），セイヨウキズタ（Hedera helix L.）及びローマカミツレ（Anthemis nobilis L.）より成る植物群から選択した１種又は２種以上の抽出物。
【請求項４】　次の（Ｇ）及び（Ｈ）を含有して成る皮膚外用剤。
（Ｇ）サルビア（Salvia officinalis L.）及び／又はその変種（Salvia officinalis var. tenuior），ハマメリス（Hamamelis virginiana L.），タチジャコウソウ（Thymus vulgaris L.），トルメンティラ（Potentilla tormentilla），マンネンロウ（Rosmarinus officinalis L.）の抽出混合物。
（Ｈ）カミツレ（Matricaria chamomilla L.），ウイキョウ（Foeniculum vulgare Miller），ホップ（Humulus lupulus L.），セイヨウノコギリソウ（Achillea millefolium L.），メリッサ（Melissa officinalis L.）及びヤドリギ（Viscum coloratum Nakai var. lutescens Miyabe et Kudo又はViscum album L. var. lutescens Makino），トチノキ（Aesculus turbinata Blume），セイヨウトチノキ（Aesculus hippocastanum L.），ニンジン（Daucus carota L.），トウキンセンカ（Calendula officinalis L.），キンセンカ（Calendula arvensis L.），ヤグルマギク（Centaurea cyanus L.），スギナ（Equisetum arvense L.），ユーカリノキ属に属する植物（Eucalyptus spp.），アロエ属に属する植物（Aloe spp.），マルメロ（Cydonia oblonga Mill.），キュウリ（Cucumis sativus L.），フキタンポポ（Tussilago farfara L.），ビロウドアオイ（Althaea officinalis L.），オトギリソウ属に属する植物（Hypericum spp.），マンサク（Hamamelis japonica Sieb. et Zucc.），カンゾウ（Glycyrrhiza uralensis Fisher，Glycyrrhiza glabra L.及びその変種，Glycyrrhiza echinata L.，Glycyrrhiza glandulifera Reg. et Herd.），ユリ属に属する植物（Lilium spp.），パセリ（Petroselinum crispum (Mill.) Nym. Ex A.W.Hill.），シナノキ属に属する植物（Tilia spp.），カバノキ属に属する植物（Betula spp.），ブナ（Fagus crenata Blume），イヌブナ（Fagus japonica Maxim.），イチョウ（Ginkgo biloba L.），キズタ（Hedera tobleri Nakai），セイヨウキズタ（Hedera helix L.）及びローマカミツレ（Anthemis nobilis L.）より成る植物群から選択した１種又は２種以上の抽出物。
【請求項５】　請求項１〜請求項４に記載の皮膚外用剤より選択した２種以上を組み合わせて使用することを特徴とする，皮膚の手入れ方法。」
　
［２］原査定の理由　
　一方，原査定の拒絶の理由の概要は，次のとおりである。
理由（１）
　請求項１に係る発明と，請求項２，３，４に係る発明とは，互いに解決すべき課題が同一ではなく，また，主要部が同一でもないから，本願は特許法第３７条に規定する要件を満たしていない。
　
理由（２）
　本願の請求項１に係る発明は，その出願前日本国内において頒布された刊行物に記載された発明に基いて，その出願前にその発明の属する技術の分野における通常の知識を有する者が容易に発明をすることができたものであるから，特許法第２９条第２項の規定により特許を受けることができない。
　
［３］当審の判断
理由（１）について
　請求項１〜４に係る発明は，それぞれ異なる抽出物の組み合わせと他の植物抽出物とからなる皮膚外用剤の発明である。
　しかし，複数の植物抽出物を含む皮膚外用剤を得ることは「フレグランス ジャーナル臨時増刊No.6「香粧品の植物科学-植物成分の開発と有効利用-」，フレグランスジャーナル社，1986年5月1日の335-336頁」に記載されている課題であるから，請求項１〜４が解決すべき課題は，特定の植物の新たな組み合わせにより，より効果の優れた皮膚外用剤を得ることである。
　ところが，請求項１における（Ａ）の群と（Ｂ）の群，請求項２における（Ｃ）の群と（Ｄ）の群，請求項３における（Ｅ）の群と（Ｆ）の群，請求項４における（Ｇ）の群と（Ｈ）の群は，いずれも組み合わせる植物が異なり，請求項１〜４は互いに解決すべき課題が同一であるということはできないから，請求項１〜４のいずれを特定発明としても，特許法第３７条第１号に規定する要件を満たさない。
　上記のとおり，請求項１〜４は組み合わせるべき植物の種類がそれぞれ異なり，請求項に記載する事項の主要部が同一ではないから，いずれの請求項の発明を特定としても，特許法第３７条第２号に規定する要件を満たしていない。
　また，特許法第３７条第３号〜第５号に規定するいずれの要件を満たすものでもない。
　
理由（２）について
（ア）引用例
　原査定の拒絶の理由に引用された本願出願前に頒布された刊行物である，「フレグランス ジャーナル臨時増刊No.6「香粧品の植物科学-植物成分の開発と有効利用-」，フレグランスジャーナル社，1986年5月1日，p.164-166,185-187,　196,324-349」（以下，「引用例」という。）には，以下の事項が記載されている。
(a)各社植物成分リストとして，Chemicales Laboratorium Dr.Kurt Richter GmbH（W.Germany），寿ケミカルス株式会社（〒540 大阪市東区内本町1-38 Tel.06-941-1035）のチェスブランド・コンプレックス，ヘキサプラント・コンプレックス，セフプラント・コンプレックスの品名およびグレード名，母植物，使用部位，主成分，効能効果，用途を記載した表。（335-336頁）
　＜表省略＞
　
(b)「表８　ヨーロッパにおける植物抽出物の複合処方例と効果」と題する各種の応用目的または効果毎に植物抽出エキスの組み合わせを示す表。（188頁）
　＜表省略＞
　
(c)「表１　化粧品素材（外用）と美容健康素材（内容）としての薬草類」と題する薬草名と主要成分，外用，内用の各種薬効・化粧効果を記載した表。トチノキ，セイヨウトチノキ，マンネンロウ，トウキンセンカ，スギナ，アロエ，フキタンポポ，ビロウドアオイ，オトギリソウ，サルビア，ハマメリス，カンゾウ，シナノキ，カバノキ，イチョウが記載されている。（164-165頁）
　＜表省略＞
　
(d)「表４　化粧品に配合されている植物」と題する植物名と期待される薬理効果，美容効果，主要成分を記載した表。ニンジン，ヤグルマギク，スギナ，ユーカリ.アロエ，キュウーカンバ，フキタンポポ，オトギリソウ，サルビア，ハマメリスが記載されている。（196頁）
　＜表省略＞
　
（イ）対比
　引用例の(a)にヘキサプラント・コンプレックスとして記載されているものは，母植物が，カミツレ（Matricaria chamomilla L.），ウイキョウ（Foeniculum vulgare Miller），ホップ（Humulus lupulus L.），セイヨウノコギリソウ（Achillea millefolium L.），コウスイ・ハッカ（Melissa officinalis L.）,ヤドリギ（Viscum album L.）である。ヘキサプラント・コンプレックスの６種の成分は，母植物からの抽出物であることは明らかである。例えば，(b)にも，「植物抽出物」と記載されている。
　ヘキサプラント・コンプレックスの効能効果は，頭髪柔軟作用，清涼感，フケ防止，日焼け防止，収斂作用，消炎作用，静菌作用であり，用途は，ヘヤークリーム，セットローション，ヘヤートニック，ヘヤーリンスである。すなわち，ヘキサプラント・コンプレックスは，ヘヤークリーム，セットローション，ヘヤートニック，ヘヤーリンスに配合し，頭皮への作用である清涼感，フケ防止，日焼け防止，収斂作用，消炎作用，静菌作用を有するものであるから，頭皮外用剤といえる。
　したがって，引用例には，「カミツレ（Matricaria chamomilla L.），ウイキョウ（Foeniculum vulgare Miller），ホップ（Humulus lupulus L.），セイヨウノコギリソウ（Achillea millefolium L.），コウスイ・ハッカ（Melissa officinalis L.）,ヤドリギ（Viscum album L.）の抽出混合物を含有する頭皮外用剤」が記載されているものと認められる。（以下，「引用発明という。」）
　
　本願の請求項１に係る発明（以下「本願発明」という。）と引用発明とを対比する。
　学名が同一であることからも分かるように，引用発明の「コウスイ・ハッカ（Melissa officinalis L.）」は本願発明の「メリッサ（Melissa officinalis L.）」のことである。両者の一致点及び相違点は以下のとおりである。
　
＜一致点＞
「（Ａ）カミツレ（Matricaria chamomilla L.），ウイキョウ（Foeniculum vulgare Miller），ホップ（Humulus lupulus L.），セイヨウノコギリソウ（Achillea millefolium L.），メリッサ（Melissa officinalis L.）及びヤドリギ（Viscum album L.）の抽出混合物を含有してなる外用剤」である点。
　
＜相違点＞
　本願発明は，「皮膚外用剤」であるのに対し，引用発明は「頭皮外用剤」である点。（以下「相違点１」という。）
　本願発明では，「（Ｂ）トチノキ（Aesculus turbinata Blume），セイヨウトチノキ（Aesculus hippocastanum L.），ニンジン（Daucus carota L.），マンネンロウ（Rosmarinus officinalis L.），トウキンセンカ（Calendula officinalis L.），キンセンカ（Calendula arvensis L.），ヤグルマギク（Centaurea cyanus L.），スギナ（Equisetum arvense L.），ユーカリノキ属に属する植物（Eucalyptus spp.）アロエ属に属する植物（Aloe spp.），マルメロ（Cydonia oblonga Mill.），キュウリ（Cucumis sativus L.），フキタンポポ（Tussilago farfara L.），ビロウドアオイ（Althaea officinalis L.），オトギリソウ属に属する植物（Hypericum spp.），サルビア（Salvia officinalis L.）及びその変種（Salvia officinalis var. tenuior），ハマメリス（Hamamelis virginiana L.），マンサク（Hamamelis japonica Sieb. et Zucc.），タチジャコウソウ（Thymus vulgaris L.），トルメンティラ（Potentilla tormentilla），カンゾウ（Glycyrrhiza uralensis Fisher，Glycyrrhiza glabra L.及びその変種，Glycyrrhiza echinata L.，Glycyrrhiza glandulifera Reg. et Herd.），ユリ属に属する植物（Lilium spp.），パセリ（Petroselinum crispum (Mill.) Nym. Ex A.W.Hill.），シナノキ属に属する植物（Tilia spp.），カバノキ属に属する植物（Betula spp.），ブナ（Fagus crenata Blume），イヌブナ（Fagus japonica Maxim.），イチョウ（Ginkgo biloba L.），キズタ（Hedera tobleri Nakai），セイヨウキズタ（Hedera helix L.）及びローマカミツレ（Anthemis nobilis L.）より成る植物群から選択した１種又は２種以上の抽出物。」を含有しているのに対し，引用発明では含有していない点。（以下，「相違点２」という。）
　
（ウ）本願発明の容易想到性
　上記相違点１について検討する。
　本願明細書に「本発明に係る皮膚外用剤は，・・・皮膚化粧料，・・・下地化粧料，・・・・メイクアップ化粧料，・・・皮膚洗浄料，ヘアーシャンプー，ヘアーリンス，ヘアートリートメント等の毛髪用化粧料等としても提供することができる。」（【００５２】）と記載されているように，本願発明の「皮膚外用剤」は，毛髪用化粧料等としても提供されるものであり，引用発明の「頭皮外用剤」を含むものである。したがって，この相違点をもって本願発明が進歩性を有するものとは認められない。
さらに，引用発明の「頭皮外用剤」は，頭皮に対し，清涼感，日焼け防止，収斂作用，消炎作用，静菌作用を有するものであり，これらは，頭皮以外の皮膚用の外用剤にも求められる作用であり，頭皮も頭皮以外の皮膚も皮膚としては同様な組織であるから，「頭皮外用剤」を頭皮以外の皮膚に対する外用剤として用いてみることは当業者が容易に想到し得ることである。
　
　ついで，上記相違点２について検討する。
　引用例の(a)には，複数の植物抽出物を配合した製品であるチェスブランド・コンプレックスが，保湿効果，収斂作用，皮膚代謝促進，鎮痒，フケ防止，清涼感，日焼け防止，血行促進，ヘキサプラント・コンプレックスが，頭髪柔軟作用，清涼感，フケ防止，日焼け防止，収斂作用，消炎作用，静菌作用，セフプラント・コンプレックスが，皮膚化粧料（美肌効果，荒れ肌防止），日焼け防止，収斂作用，消炎作用，静菌作用を有することが記載されている。また，引用例の(b)には，毛根刺激，抗脂漏作用，収斂作用，アレルギー性のカブレ，湿疹防止，シワ防止，スリム効果（肌をひきしめ，肌にはりを与える）といった種々の目的のため，複数の植物抽出物が化粧品に配合されることが記載されている。これらの保湿効果，収斂作用，皮膚代謝促進，鎮痒，フケ防止，日焼け防止，血行促進，消炎作用，静菌作用，美肌効果，荒れ肌防止，毛根刺激，抗脂漏作用，収斂作用，アレルギー性のカブレ，湿疹防止，シワ防止，スリム効果（肌をひきしめ，肌にはりを与える）といった効能効果は，皮膚に作用しより好ましい皮膚の状態を得ようとするものであるから，これらの記載は，皮膚の状態をより好ましいものとするため，皮膚外用剤として複数の植物抽出物を化粧品に配合してみるということを示唆している。
　そして，引用例の(c)には，化粧品に配合する植物抽出成分として，トチノキ，セイヨウトチノキ，マンネンロウ，トウキンセンカ，スギナ，アロエ，フキタンポポ，ビロウドアオイ，オトギリソウ，サルビア，ハマメリス，カンゾウ，シナノキ，カバノキ，イチョウが，外用剤として，抗炎症・鎮痒・鎮痛，皮膚刺激，皮膚柔軟・粘滑，刺激緩和，収斂，抗脂漏，シミ・ソバカス・シワ防止，保水・保湿，制汗・防臭といった皮膚に対する好ましい作用とともに記載され，（d）には化粧品に配合されている植物抽出成分として，ニンジン，ヤグルマギク，スギナ，ユーカリ.アロエ，キュウリ（キュウカンバーとして表記されている），フキタンポポ，オトギリソウ，サルビア，ハマメリスが，抗炎症作用，収斂作用，鎮静鎮痛作用，皮膚代謝促進作用，血液循環促進作用，抗菌防腐作用，肌をなめらかに保つ，肌をひきしめスリム化，ニキビ湿疹の防止，ヒビアカギレの防止，養毛作用といった期待される皮膚に対する好ましい薬理作用・美容効果とともに記載されている。
　してみれば，当業者であれば，頭皮への好ましい作用である清涼感，フケ防止，日焼け防止，収斂作用，消炎作用，静菌作用を有する頭皮外用剤である引用発明において，より効果の優れた頭皮外用剤とするため，「カミツレ（Matricaria chamomilla L.），ウイキョウ（Foeniculum vulgare Miller），ホップ（Humulus lupulus L.），セイヨウノコギリソウ（Achillea millefolium L.），コウスイ・ハッカ（メリッサのこと）（Melissa officinalis L.）,ヤドリギ（Viscum album L.）の抽出混合物に，引用例の(c)，(d)に記載された，外用剤として皮膚に対する好ましい作用を有すると，或いは好ましい薬理作用・美容効果が期待されると記載された植物抽出成分を１種又は複数種さらに配合してみることは当業者が容易に想到し得ることである。
　そして，請求項１に係る発明，すなわち本願発明は，（Ａ）として記載されている植物抽出混合物と，（Ｂ）として記載されている３１種類の植物群から選択した１種又は２種以上（２〜３１種）の抽出物を組み合わせるものであり，（Ｂ）として多数の選択肢を有するものであるが，本願明細書の記載からみるに，本願発明の効果が試験結果とともに記載されているのは，（Ｂ）の植物抽出物として，トウキンセンカ抽出物，マルメロ抽出物，フキタンポポ抽出物，ビロウドアオイ抽出物，オトギリソウ抽出物，サルビア抽出物，テッポウユリ抽出物，パセリ抽出物の８種類の植物の抽出物を８種類全て含有する１つの実施例（実施例１７）だけである。そして，請求人も審判請求の理由においても述べているように，「複数の植物の組み合わせに一定の選択の指標があるわけでもな」いし，本願明細書には，（Ｂ）としてその他の抽出物を採用した場合については，本願発明の奏する効果に関する実験上の説明も，理論上の説明もなんら記載されていない。
　なお，本願明細書の実施例群１，２は請求項１〜３に係る発明を併用した場合の試験例であり，本願発明（請求項１に係る発明）の効果を示すものではない。
　また，審判請求の理由において，（Ｂ）として，３１種類の植物抽出物を単独で（Ａ）の抽出混合物と組み合わせた資料についての試験結果を提出している（この試験結果は，相乗効果を説明するために必要な（Ｂ）単独での角質層水分保持能が不明であり，比較例とした１―a，b，ｃ，ｄの調製方法及び有効成分の濃度も不明である）が，そもそも，（Ｂ）として３１種類の植物抽出をそれぞれ単独で（Ａ）の抽出混合物と組み合わせたものについては，本願明細書の発明の詳細な説明には具体的には記載されておらず，この試験結果は発明の詳細な説明の記載内容を補足するものとして参酌することはできない。
　
［４］むすび
　以上のとおり，本願は，特許法第３７条に規定する要件を満たしておらず，また，本願発明は，引用例に記載された発明に基づいて当業者が容易に発明することができたものであるから，特許法第２９条第２項の規定により特許を受けることができない。
　よって，結論のとおり審決する。